(57)【要約】【課題】手軽な操作で、放送設備からの放送コンテンツを楽しみつつ、通信設備からの通信コンテンツを楽しみことができるテレビリモコン装置およびコンテンツ配信設備を提供する。【解決手段】テレビリモコン装置４０は、放送設備２１から放送電波により配信される放送コンテンツを受信するテレビ受像機３０を操作するものである。また、テレビリモコン装置４０は、放送コンテンツと関連する情報を含む通信コンテンツであり、通信設備２２からインターネットＷを介して配信される通信コンテンツを受信して表示することができる。放送コンテンツを選択するチャンネル番号が選択されると、テレビリモコン装置４０は、テレビ受像機３０へ通知すると共に、通信設備２２の配信サーバ２２１に、配信要求として送信する。そうすることで、視聴者は、手軽に、放送コンテンツと通信コンテンツとの両方を楽しむことができる。【選択図】図１
2018011229.tif 000002
【特許請求の範囲】
【請求項１】
放送設備から放送電波により配信される放送コンテンツを受信するテレビ受像機を操作するリモコン部と、前記放送コンテンツと関連する情報を含む通信コンテンツであり、通信設備からネットワークを介して配信される通信コンテンツを受信する通信コンテンツ制御部と、前記通信コンテンツを表示する表示部とを備え、
前記リモコン部は、前記放送コンテンツを選択するチャンネル番号を前記テレビ受像機へ通知すると共に、前記通信コンテンツ制御部へ通知し、
前記通信コンテンツ制御部は、前記通信コンテンツを選択する前記チャンネル番号を、前記ネットワークを介して前記通信設備に、配信要求として送信するテレビリモコン装置。
【請求項２】
放送電波により放送コンテンツをテレビ受像機に向けて配信する放送設備と、
前記放送コンテンツと関連する情報を含む通信コンテンツであり、ネットワークを介して、前記請求項１記載のテレビリモコン装置に通信コンテンツに配信する通信設備とを備えたコンテンツ配信設備。
【請求項３】
前記放送設備は、配信時間を示す運行データに基づいて、前記放送コンテンツを配信するものであり、
前記通信設備は、前記放送コンテンツに含まれる各コンテンツに対応する前記通信コンテンツの各コンテンツを、前記運行データに基づいて配信するものである請求項２記載のコンテンツ配信設備。
【請求項４】
前記通信設備は、前記テレビリモコン装置からのチャンネルボタンの押下が通知されると、前記チャンネルボタンに応じた通信コンテンツを、前記テレビリモコン装置へ配信する請求項２または３記載のコンテンツ配信設備。
【請求項５】
前記通信設備は、前記通信コンテンツのトップページ以外のページが前記テレビリモコン装置に表示されているときに、前記テレビリモコン装置からのチャンネルボタンの押下が通知されても、前記テレビリモコン装置に表示されているトップページ以外のページを維持する請求項４記載のコンテンツ配信設備。
【発明の詳細な説明】
【技術分野】
【０００１】
本発明は、放送設備が放送電波によりテレビ受像機へ放送コンテンツを配信し、通信設備がネットワークを介して通信コンテンツを配信する技術に関する。
【背景技術】
【０００２】
放送局の放送設備から、放送コンテンツとして、テレビ番組やＣＭなどが配信される。視聴者は、テレビ番組やＣＭを見ながら、気になることがあると、スマートフォンやパーソナルコンピュータにより調べたりする。このようなときに、テレビ番組やＣＭに関することをタイミングよく調べることができる技術が特許文献１に記載されている。
【０００３】
特許文献１に記載のテレビ番組関連コンテンツ提供方法では、放送局が放送番組を送信すると、ユーザのテレビが放送番組を映し出す一方、ユーザは、テレビを視聴するかたわら、自分のユーザ端末に所定のアプリケーションソフトを起動させて、視聴している放送局のチャネル番号を、関連コンテンツ提供装置に対して送信することで、関連コンテンツ提供装置は受信した電波から字幕情報や映像に含まれるキーワードを抽出し、この抽出したキーワードと関連するコンテンツが制作されているならば、このキーワードとコンテンツのＵＲＬとをユーザ端末に送出し、さらに、キーワードと連動する広告コンテンツが入稿されているならば広告収益性スコアを考慮して選出された広告コンテンツのＵＲＬをユーザ端末に送出するというものである。
【先行技術文献】
【特許文献】
【０００４】
【特許文献１】特開２０１６−５９０２８号公報
【発明の概要】
【発明が解決しようとする課題】
【０００５】
しかし、特許文献１に記載のテレビ番組関連コンテンツ提供方法では、関連コンテンツ提供装置からの通信コンテンツをユーザ端末にて取得するときには、テレビ受像機をテレビリモコン装置でチャンネル選択した後に、視聴している放送局のチャネル番号を、自分のユーザ端末にて動作させる所定のアプリケーションソフトにより、関連コンテンツ提供装置に対して送信する必要がある。
従って、視聴者は、テレビ受像機のチャンネル選択を行いつつ、ユーザ端末側でもチャンネル選択を行う必要があるため、操作が煩雑である。
【０００６】
そこで本発明は、手軽な操作で、放送設備からの放送コンテンツを楽しみつつ、通信設備からの通信コンテンツを楽しみことができるテレビリモコン装置およびコンテンツ配信設備を提供することを目的とする。
【課題を解決するための手段】
【０００７】
本発明のテレビリモコン装置は、放送設備から放送電波により配信される放送コンテンツを受信するテレビ受像機を操作するリモコン部と、前記放送コンテンツと関連する情報を含む通信コンテンツであり、通信設備からネットワークを介して配信される通信コンテンツを受信する通信コンテンツ制御部と、前記通信コンテンツを表示する表示部とを備え、前記リモコン部は、前記放送コンテンツを選択するチャンネル番号を前記テレビ受像機へ通知すると共に、前記通信コンテンツ制御部へ通知し、前記通信コンテンツ制御部は、前記通信コンテンツを選択する前記チャンネル番号を、前記ネットワークを介して前記通信設備に、配信要求として送信することを特徴とする。
【０００８】
本発明のテレビリモコン装置によれば、テレビ受像機のチャンネル番号をリモコン部により選択すると、リモコン部から通信コンテンツ制御部へ押下されたチャンネル番号が通知され、通信コンテンツ制御部から通信設備へチャンネル番号が通知されることで、選択されたチャンネル番号に対応する通信コンテンツが通信設備から配信される。
【０００９】
本発明のコンテンツ配信設備は、放送電波により放送コンテンツをテレビ受像機に向けて配信する放送設備と、前記放送コンテンツと関連する情報を含む通信コンテンツであり、ネットワークを介して、本本発明のテレビリモコン装置に通信コンテンツに配信する通信設備とを備えたものとすることができる。
視聴者は、放送設備により配信される放送コンテンツをテレビ受像機により視聴しながら、放送コンテンツと関連する情報を通信設備から配信される通信コンテンツにより得ることができるので、より深く番組やＣＭを視聴することができる。従って、視聴者は、放送コンテンツを視聴しつつ、通信コンテンツを閲覧することにより、更に番組やＣＭの追加的な情報にアクセスすることが可能である。
【００１０】
前記放送設備は、配信時間を示す運行データに基づいて、前記放送コンテンツを配信するものであり、前記通信設備は、前記放送コンテンツに含まれる各コンテンツに対応する前記通信コンテンツの各コンテンツを、前記運行データに基づいて配信するものとすることができる。
通信コンテンツは、運行データに基づいて配信される放送コンテンツと同じ運行データにより通信設備により配信されるため、通信設備は、放送コンテンツと正確に同期を取って通信コンテンツを配信することができる。
【００１１】
前記通信設備は、前記テレビリモコン装置からのチャンネルボタンの押下が通知されると、前記チャンネルボタンに応じた通信コンテンツを、前記テレビリモコン装置へ配信することができる。通信設備が、チャンネルボタンに応じた通信コンテンツを配信することにより、チャンネルごとの通信コンテンツをテレビリモコン装置により閲覧することができる。
【００１２】
前記通信設備は、前記通信コンテンツのトップページ以外のページが前記テレビリモコン装置に表示されているときに、前記テレビリモコン装置からのチャンネルボタンの押下が通知されても、前記テレビリモコン装置に表示されているトップページ以外のページを維持することが望ましい。そうすることで、通信コンテンツをアクセス中にチャンネルボタンを押下するという誤操作により、勝手に、通信コンテンツが切り替わってしまうことを防止することができる。
【発明の効果】
【００１３】
本発明は、リモコン部のチャンネル操作によりテレビ受像機が受信する放送コンテンツが選択されると共に、通信設備からの通信コンテンツが選択されため、手軽な操作で、放送設備からの放送コンテンツを楽しみつつ、通信設備からの通信コンテンツを楽しみことができる。
【図面の簡単な説明】
【００１４】
【図１】本発明の実施の形態に係るコンテンツ配信設備を説明するための図である。
【図２】図１に示すコンテンツ配信設備の放送設備を説明するための図である。
【図３】図１に示すコンテンツ配信設備の配信サーバを説明するための図である。
【図４】図１に示すコンテンツ配信設備のテレビリモコン装置を説明するための図である。
【図５】図１に示すテレビリモコン装置の外観を説明するための図である。
【図６】図５に示すテレビリモコン装置の表示部に、機能選択ボタンの一例が表示された状態の図である。
【図７】図５に示すテレビリモコン装置の表示部に、設定メニュー画面の一例が表示された状態の図である。
【図８】図５に示すテレビリモコン装置の表示部に、個人情報設定画面の一例が表示された状態の図である。
【図９】図５に示すテレビリモコン装置の表示部に、興味設定画面の一例が表示された状態の図である。
【図１０】図５に示すテレビリモコン装置の表示部に、番組連動記事画面の一例が表示された状態の図である。
【図１１】図５に示すテレビリモコン装置の表示部に、記事詳細画面の一例が表示された状態の図である。
【図１２】図５に示すテレビリモコン装置の表示部に、クーポン発行画面の一例が表示された状態の図である。
【図１３】図５に示すテレビリモコン装置の表示部に、商品購入画面の一例が表示された状態の図である。
【図１４】図５に示すテレビリモコン装置の表示部に、非連動コンテンツ選択画面の一例が表示された状態の図である。
【図１５】図５に示すテレビリモコン装置の表示部に、チラシ表示画面の一例が表示された状態の図である。
【図１６】図５に示すテレビリモコン装置の表示部に、買得表示画面の一例が表示された状態の図である。
【図１７】図５に示すテレビリモコン装置の表示部に、履歴画面の一例が表示された状態の図である。
【発明を実施するための形態】
【００１５】
本発明の実施の形態に係るコンテンツ配信設備とテレビリモコン装置とを図面に基づいて説明する。
図１に示すコンテンツ配信システム１０は、放送電波による放送コンテンツと、ネットワークを介在せる通信コンテンツとを視聴するためのものである。
コンテンツ配信システム１０は、放送コンテンツおよび通信コンテンツを配信するコンテンツ配信設備２０と、放送コンテンツを表示するテレビ受像機３０と、通信コンテンツを表示するテレビリモコン装置４０とを備えている。
【００１６】
コンテンツ配信設備２０は、放送コンテンツを配信する放送設備２１と、通信コンテンツを配信する通信設備２２とを備えている。
放送設備２１は、放送局Ａに設置された局内設備２１１と、局内設備２１１からの放送データを各家庭に配信する放送塔設備２１２とを備えている。
図１においては、放送設備２１が放送局Ａのみを図示しているが、テレビ受像機３０が受信できる他の放送局にも同様の設備が設置されている。
【００１７】
局内設備２１１は、図２に示すように、回線センター２１１１と、ＣＭバンク２１１２と、番組バンク２１１３と、コンテンツ送出装置２１１４と、データ放送送出装置２１１５と、多重化装置２１１６とを備えている。
【００１８】
回線センター２１１１は、衛星回線、中継回線、光回線、スタジオ、天気カメラなどの各回線からの映像を分配する装置である。ＣＭバンク２１１２は、コマーシャルの映像が格納された装置である。番組バンク２１１３は、収録済みの番組映像が格納された装置である。
【００１９】
コンテンツ送出装置２１１４は、放送順序に従って、番組映像である番組コンテンツやコマーシャルの映像であるＣＭコンテンツを送出するＡＰＳ（Automatic Program control System）装置である。コンテンツ送出装置２１１４は、マスターマトリックス装置２１１４ａと、制御装置２１１４ｂと、情報付加装置２１１４ｃとを備えている。
【００２０】
マスターマトリックス装置２１１４ａは、回線センター２１１１、ＣＭバンク２１１２、番組バンク２１１３からの各映像を、制御装置２１１４ｂからの制御により地上デジタル用、ワンセグ用、アナログ用など、として情報付加装置２１１４ｃへ送出する装置である。
制御装置２１１４ｂは、図示しない上位システムから送信された運行データにより、番組コンテンツおよびＣＭコンテンツの送出時間に基づいてマスターマトリックス装置２１１４ａの映像送出タイミングを制御するコンピュータである。
情報付加装置２１１４ｃは、マスターマトリックス装置２１１４ａからの映像に、時刻表示や、天気情報、スポンサーのロゴ情報、速報情報などを付加する機能を備えたもので、地上デジタル用、ワンセグ用、アナログ用などごとに設置されている。
【００２１】
データ放送送出装置２１１５は、図示しないアップロードサーバからのデータ放送用コンテンツを、電気通信回線の一例である専用線を介して受信し、指定された時間に多重化装置２１１６へ送出する。
多重化装置２１１６は、それぞれの情報付加装置２１１４ｃから送出された番組コンテンツおよびＣＭコンテンツと、データ放送送出装置２１１５から送出されたデータ放送用コンテンツとを、それぞれエンコードすると共にこれらを多重化し、放送コンテンツとして放送塔設備２１２へ出力する装置である。
放送塔設備２１２には、送信装置２１２１が設置されている。送信装置２１２１は、多重化された放送コンテンツを変調して放送電波である地上デジタル放送波として送信する装置である。
【００２２】
ここで、放送コンテンツは、番組映像である番組コンテンツと、コマーシャルの映像であるＣＭコンテンツと、データ放送用コンテンツとから構成される。
【００２３】
図１に示す通信設備２２は、通信コンテンツを配信する配信サーバ２２１と、放送局内に設置される第１端末装置２２２と、番組提供企業に設置される第２端末装置２２３とを備えている。
配信サーバ２２１が配信する通信コンテンツは、放送局Ａが配信する放送コンテンツに関連するコンテンツが含まれるため、放送局Ａに設置されていてもよいが、放送局Ａ以外の場所に設置されていてもよい。図１では、配信サーバ２２１が１台だけ図示されているが、他の放送局ごとに対応して複数台設置されていてもよいし、放送局Ａおよび他の放送局の全部の通信コンテンツを配信サーバ２２１が１台で配信するようにしてもよい。
【００２４】
配信サーバ２２１は、インターネットＷに接続されている。配信サーバ２２１は、図３に示すように、通信部２２１１と、設定制御部２２１２と、通信コンテンツ登録部２２１３と、通信コンテンツ配信部２２１４と、クーポン発行部２２１５と、履歴制御部２２１６と、記憶部２２１７とを備えている。
【００２５】
通信部２２１１は、配信サーバ２２１内の各部からのデータを、インターネットＷを介して入力して、第１端末装置２２２、第２端末装置２２３およびテレビリモコン装置４０へ送信したり、第１端末装置２２２、第２端末装置２２３およびテレビリモコン装置４０からのデータを、インターネットＷを介して受信して、配信サーバ２２１内の各部に出力したりする機能を備えている。
設定制御部２２１２は、テレビリモコン装置４０にて操作される設定画面を送信したり、設定画面に基づいて設定された各種の設定情報を受信し、記憶部２２１７へ格納することで、配信サーバ２２１側で保存したりするものである。
【００２６】
通信コンテンツ登録部２２１３は、通信コンテンツを記憶部２２１７に登録する機能を備えている。
通信コンテンツ配信部２２１４は、記憶部２２１７から通信コンテンツを読み出し、連動コンテンツであれば運行データに基づいてテレビリモコン装置４０へ配信する機能を備えている。
クーポン発行部２２１５は、テレビリモコン装置４０にてクーポン発行の要求されたときに、ＳＭＳ（ショートメッセージサービス）または電子メールによってクーポンを発行する機能を備えている。
履歴制御部２２１６は、視聴者が購入した商品や、受け取ったクーポンの記憶部２２１７に格納して管理する機能を備えている。
記憶部２２１７は、通信コンテンツと、運行データと、履歴情報などが格納されていると共に、テレビリモコン装置４０にて設定された設定情報が、テレビリモコン装置４０を操作する視聴者を識別する識別情報に紐付けられて格納されている。
【００２７】
ここで、通信コンテンツは、番組コンテンツおよびＣＭコンテンツと内容的に関連し、時間的に同期して配信される連動コンテンツと、番組コンテンツおよびＣＭコンテンツと内容的に無関係で、時間的に非同期にて配信される非連動コンテンツとから構成される。
【００２８】
図１に示す第１端末装置２２２は、放送局の担当者が操作するコンピュータである。第１端末装置２２２は、配信サーバ２２１にアクセスして、通信コンテンツをアップロードして登録したり、配信サーバ２２１に登録された通信コンテンツを閲覧して、放送局の担当者が検査したりするときに使用される。
第２端末装置２２３は、番組提供企業の担当者や、チラシ発行企業の担当者、クーポン発行企業の担当者が操作して、通信コンテンツをアップロードして登録する際に使用される。
【００２９】
テレビリモコン装置４０は、テレビ受像機３０を操作することができると共に、通信コンテンツを表示することができるものである。
テレビリモコン装置４０は、図４に示すように、通信部４１と、リモコン部４２と、通信コンテンツ制御部４３と、表示部４４と、タッチパネル部４５と、記憶部４６とを備えている。
【００３０】
通信部４１は、通信コンテンツ制御部４３からのデータを、インターネットＷを介して入力して、配信サーバ２２１へ送信したり、配信サーバ２２１からのデータを、インターネットＷを介して受信して、通信コンテンツ制御部４３に出力したりする機能を備えている。
【００３１】
リモコン部４２は、テレビ受像機３０を操作する機能を備えている。リモコン部４２は、操作部４２１と、リモコン信号送信部４２２とを備えている。
操作部４２１は、図５に示すように、筐体の下部に配置されたボタン群である。ボタン群としては、テレビ受像機３０のオン・オフを指示する電源ボタン４２１ａ、１から１２までのチャンネルを選択するチャンネルボタン４２１ｂ、地デジ、ＢＳまたはＣＳを切り替える切替ボタン４２１ｃ、データ放送用のｄボタン４２１ｄ、テレビ受像機３０の音量を調整するためのボリュームボタン４２１ｅ、青色、赤色、緑色、黄色の４色のボタンからなる４色ボタン４２１ｆ、メニュー上のカーソルを移動させるための十字キー４２１ｇ、メニューを決定するため決定キー４２１ｈなど、を備えている。
【００３２】
図４に示すように、操作部４２１への押下は、通信コンテンツ制御部４３にも通知される。
【００３３】
リモコン信号送信部４２２は、操作部４２１の各ボタンの押下に対応したリモコン信号を送信する機能を備えている。リモコン信号送信部４２２は、リモコン信号を、テレビ受像機３０の仕様に合わせて送信する。リモコン信号は、例えば、赤外線、ＢＬＥ（Bluetooth（登録商標） Low Energy）、ＷＩＦＩ（登録商標）などとすることができる。また、リモコン信号の通信フォーマットは、家電メーカーが制定したフォーマットやＡＥＨＡフォーマットとすることができる。
【００３４】
通信コンテンツ制御部４３は、チャンネル番号に基づいて通信設備２２の配信サーバ２２１へアクセスして配信された通信コンテンツを表示部４４へ表示したり、タッチパネル部４５に押下された位置に応じた押下情報を配信サーバ２２１へ送信したりする機能を備えている。
表示部４４は、液晶表示パネルとしたり、有機ＥＬパネルとしたりすることができる。
タッチパネル部４５は、表示部４４の表面に貼り付けられたフィルム状の入力デバイスである。タッチパネル部４５は、抵抗膜型としたり、静電容量型としたりすることができる。
【００３５】
記憶部４６は、フラッシュメモリなどの不揮発性メモリとすることができる。記憶部４６には、操作部４２１にて押下されたチャンネル番号や、各種の設定情報が格納される。
【００３６】
以上のように構成された本発明の実施の形態に係るコンテンツ配信設備の動作と使用状態について、図面に基づいて説明する。
なお、図１に示す通信設備２２の配信サーバ２２１に、通信コンテンツが、第１端末装置２２２および第２端末装置２２３により、既に登録され、検査されているものとする。
【００３７】
まず、視聴者は、視聴者に関する情報の設定を行う。
図６に示すように、テレビリモコン装置４０の設定を行うときには、表示部４４に表示された機能選択ボタンである、「番組連動」ボタンＢ１１、「チラシ」ボタンＢ１２および「設定」ボタンＢ１３の中から、視聴者は、まず、「設定」Ｂ１３を押下して、各種の設定を行う。
【００３８】
「設定」ボタンＢ１３の押下をタッチパネル部４５が検出すると、通信コンテンツ制御部４３が押下されたこと示す通知を配信サーバ２２１へ送信することで、設定制御部２２１２からの設定メニュー画面が、通信コンテンツ制御部４３により表示される。
例えば、図７に示す設定メニュー画面Ｄ１１では、「個人情報設定」ボタンＢ２１と、「興味あるカテゴリ設定」ボタンＢ２２と、「その他  詳細設定」ボタンＢ２３と、「クーポン受け取り・購入履歴」ボタンＢ２４が表示されている。
【００３９】
例えば、視聴者が、この設定メニュー画面Ｄ１１の中から「個人情報設定」ボタンＢ２１を押下したものとする。
この押下により、図８に示す個人情報設定画面Ｄ１２が表示部４４に表示される。
【００４０】
個人情報設定画面Ｄ１２では、上部に、家族４人のうち一人を選択する視聴者選択ボタンが表示されている。図８では、視聴者選択ボタンとして、「視聴者１」ボタンＢ３１から「視聴者４」ボタンＢ３４までが表示されている。また、「エリア設定」ボタン、「電話番号設定」ボタン、「住所」ボタン、「名前」ボタン、「メールアドレス」ボタン、「クレジット情報入力」ボタン、「パスワード」ボタンなどが表示されている。視聴者は、設定する項目に基づいて、それぞれのボタンを押下して設定の入力を行う。
【００４１】
例えば、「視聴者１」としての個人情報の設定が完了すると、設定ボタンＢ１３を押下する。設定ボタンＢ１３の押下により、図７に示す設定メニュー画面Ｄ１１が表示される。
【００４２】
このとき、通信コンテンツ制御部４３は、個人情報設定画面Ｄ１２にて設定された情報を、配信サーバ２２１へ通信部４１を介して送信する。配信サーバ２２１では、設定制御部２２１２が、テレビリモコン装置４０からの設定情報を、「視聴者１」や「視聴者１」などを識別する識別情報に紐付けて記憶部２２１７に格納する。そうすることで、テレビリモコン装置４０側で、クレジットカード番号などの重要な情報を保持しなくてよいため、安全性を向上させることができる。
【００４３】
次に、視聴者は、図７に示す設定メニュー画面Ｄ１１から、例えば、「興味あるカテゴリ設定」ボタンＢ２２を押下したものとすると、図９に示す興味設定画面Ｄ１３が表示される。
【００４４】
図９に示す興味設定画面Ｄ１３では、図８に示す個人情報設定画面Ｄ１２の「名前」ボタンを押下して設定された視聴者１〜４までの名前が、上段に、「パパ」ボタン、「ママ」ボタン、「ケイタ」ボタンおよび「リン」ボタンとして表示されている。図９では、「パパ」ボタンが有効であることから、父親についての設定であることが判別できる。
これらのボタンの下方には、色々なジャンルについてのリストが表示され、チェックボックスにて選択するカテゴリ選択欄Ｒ１１が表示されている。
視聴者は、カテゴリ選択欄Ｒ１１をチェックすることで興味あるカテゴリ設定を行う。
【００４５】
興味あるカテゴリ設定の入力が終わると、視聴者は、他のボタンを押下することで、カテゴリ選択欄Ｒ１１に設定された情報が配信サーバ２２１へ送信される。
【００４６】
このようにして設定が終わると、視聴者は、テレビ受像機３０にて番組を視聴しようとして、例えば、テレビリモコン装置４０の操作部４２１におけるチャンネルボタン４２１ｂを押下する。そうすることで、リモコン信号送信部４２２がリモコン信号をテレビ受像機３０へ送信する。
このとき、チャンネルボタン４２１ｂが放送局Ａを選択するものであれば、テレビリモコン装置４０からのリモコン信号をテレビ受像機３０が受信することで、テレビ受像機３０のチャンネルが放送局Ａに切り替わる。
【００４７】
図１に示すように、放送局Ａでは、運行データに従って、秒の１００分の１以下まで正確に局内設備２１１から出力された放送コンテンツが、放送塔設備２１２から放送電波により、地域に配信される。放送電波は、地域に所在するテレビ受像機３０により受信される。テレビ受像機３０のチャンネルが、放送局Ａに合っていれば、テレビ受像機３０では、放送コンテンツの番組コンテンツが表示される。また、テレビ受像機３０では、放送コンテンツのＣＭコンテンツが表示される。
【００４８】
テレビリモコン装置４０では、放送局Ａを選択することを示すチャンネルボタン４２１ｂの押下が、通信コンテンツ制御部４３へ通知される。
このチャンネルボタン４２１ｂの押下の通知により、通信コンテンツ制御部４３は、放送局Ａが放送している放送コンテンツをテレビ受像機３０が受信し、視聴者が放送コンテンツを視聴していることが認識できる。
【００４９】
視聴者が、放送コンテンツの番組映像である番組コンテンツを視聴しながら、更に詳しい情報が知りたいとか、番組で紹介している商品が欲しいとか思ったときに、図６から図１２に示す「番組連動」ボタンＢ１１を押下する。
【００５０】
「番組連動」ボタンＢ１１が押下されたことにより、通信コンテンツ制御部４３から、放送局Ａが選択されている旨の通知が、配信要求として、配信サーバ２２１へ通知される。
【００５１】
通信設備２２の配信サーバ２２１では、通信コンテンツ配信部２２１４が、記憶部２２１７から運行データを読み出し、運行データに基づいて現時刻に対応する通信コンテンツを記憶部２２１７から読み出して配信する。
配信サーバ２２１は、テレビリモコン装置４０からの通信コンテンツは、インターネットＷを介してテレビリモコン装置４０が受信する。
【００５２】
通信コンテンツ制御部４３が、通信コンテンツを受信すると、図１０に示すような番組連動記事画面Ｄ２１を表示部４４に表示する。
例えば、番組連動記事画面Ｄ２１では、番組で紹介された店舗情報（記事ａ）や、番組内容の補足情報（記事ｂ）、番組で紹介されたクーポン情報（記事ｃ）、番組で紹介された商品の購入情報（記事ｄ）などが、連動コンテンツのトップページとして表示されている。
【００５３】
視聴者は、記事ａや記事ｂについて、興味があれば、記事ａまたは記事ｂの位置を押下する。この押下に応じて配信サーバ２２１が配信する通信コンテンツ（連動コンテンツ）を、通信コンテンツ制御部４３が、図１１に示すような記事詳細画面Ｄ２２にて「番組連動情報」として表示部４４に表示する。
【００５４】
また、視聴者が、図１０に示す記事ｃの位置を押下すると、通信コンテンツ制御部４３が、図１２に示すようなクーポン発行画面Ｄ２３にて、番組で紹介されたクーポンについての詳細（クーポン詳細表示）を表示する。
また、図１２に示すクーポン発行画面Ｄ２３では、このクーポンを、ＳＭＳまたは電子メールのいずれかによって受け取ることを選択するためのＳＭＳ選択ボタンＢ４１と電子メール選択ボタンＢ４２とが表示されている。視聴者が父親である場合には、「パパ」ボタンＢ４３が示す父親が選択されていることを確認してから、ＳＭＳ選択ボタンＢ４１または電子メール選択ボタンＢ４２のいずれかを押下する。視聴者が母親である場合には、「ママ」ボタンＢ４４を押下して、グレーアウトしていた「ママ」ボタンＢ４４が選択されたことを確認して、ＳＭＳボタンＢ４１または電子メール選択ボタンＢ４２のいずれかを押下する。
【００５５】
通信コンテンツ制御部４３が押下されたことを配信サーバ２２１へ通知すると、図３に示す配信サーバ２２１のクーポン発行部２２１５は、押下されたＳＭＳボタンＢ４１または電子メール選択ボタンＢ４２に基づき、図８に示す「メールアドレス」での登録アドレスへ向けてクーポンを示すショートメッセージまたは電子メールを送信する。
配信サーバ２２１にて、クーポンを発行したときには、履歴制御部２２１６が発行したクーポンに関する情報を履歴情報として記憶部２２１７に格納する。
【００５６】
次に、視聴者が、図１０に示す記事ｄ（番組で紹介された商品の購入情報）に興味あるときには、記事ｄの位置を押下する。この押下に応じて配信サーバ２２１が配信した図１３に示すような商品購入画面Ｄ２４を、通信コンテンツ制御部４３が表示部４４に表示する。
視聴者は、この商品購入画面Ｄ２４を操作して、気に入った商品をカートへ入れ、クレジットカードなどにより購入を決済することで、図８に示す個人情報設定画面Ｄ１２にて設定されたクレジットカードの登録口座から商品の代金が引き落とされ、同じく、図８に示す個人情報設定画面Ｄ１２にて設定された住所に商品が郵送される。
配信サーバ２２１にて、商品を購入したときには、履歴制御部２２１６が購入した商品に関する情報を履歴情報として記憶部２２１７に格納する。
【００５７】
このように視聴者は、放送コンテンツを視聴しながら、放送コンテンツの内容と連動した通信コンテンツを参照することで、番組の内容をより深く知ることができるだけでなく、番組で紹介したクーポンを得たり、番組で紹介した商品を購入したりすることができる。従って、視聴者は、利便性の向上を図ることができる。
また、通信コンテンツは、運行データに基づいて配信される放送コンテンツと同じ運行データにより配信サーバ２２１により配信されるため、配信サーバ２２１は、放送コンテンツと正確に同期を取って配信することができる。
【００５８】
視聴者が、図４に示すテレビリモコン装置４０のチャンネルボタン４２１ｂを操作して、テレビ受像機３０を他のチャンネルに切り替える。そうすると、操作部４２１から通信コンテンツ制御部４３へ押下されたチャンネルボタン４２１ｂが通知され、通信コンテンツ制御部４３から配信サーバ２２１へ通知される。このとき、テレビリモコン装置４０にて表示されている通信コンテンツが連動コンテンツのトップページであれば、押下されたチャンネルボタン４２１ｂに対応するチャンネルの通信コンテンツが配信される。
このように、通信設備２２の配信サーバ２２１が、チャンネルボタン４２１ｂに応じた通信コンテンツを配信することにより、チャンネルごとの通信コンテンツをテレビリモコン装置により閲覧することができる。
【００５９】
しかし、テレビリモコン装置４０にて表示されている連動コンテンツがトップページ以外のページ（トップページ配下のページ）であれば、配信サーバ２２１は表示している連動コンテンツを維持する。そうすることで、ショッピングやクーポン券の発行、番組の詳細情報の閲覧している途中で、チャンネルボタン４２１ｂを押下するという誤操作により、勝手に、連動コンテンツが切り替わってしまうことを防止することができる。
【００６０】
次に、視聴者が、放送コンテンツの番組やＣＭとは無関係であるが、有益な情報を得たいと思ったときには、図６から図１２に示す「チラシ」ボタンＢ１２を押下する。
【００６１】
「チラシ」ボタンＢ１２が押下されたことがタッチパネル部４５から通信コンテンツ制御部４３へ通知されると、通信コンテンツ制御部４３は、その旨を配信サーバ２２１へ送信する。
配信サーバ２２１では、通信コンテンツ配信部２２１４が記憶部２２１７から非連動コンテンツが読み出され、テレビリモコン装置４０へ送信される。
テレビリモコン装置４０では、まず、図１４に示す非連動コンテンツ選択画面Ｄ３１が、表示部４４に表示される。
【００６２】
非連動コンテンツ選択画面Ｄ３１では、表示枠Ｒ１２内に、新聞の折り込み広告をイメージしたチラシや、割引や優待などのクーポンの情報、商品を紹介して購入できるサイトの情報などが選択できるように、サムネイルＢ５１やアイコンＢ５２が並べられて表示されている。
また、表示枠Ｒ１２内の左右の端部には、表示枠Ｒ１２内に表示しきれないサムネイルＢ５１をスクロールして表示させるための案内用矢印Ｂ５３が表示されている。
【００６３】
視聴者は、気になるサムネイルＢ５１を押下する。例えば、チラシが縮小表示されたサムネイルＢ５１が押下されたとする。サムネイルＢ５１が押下されたことがテレビリモコン装置４０から配信サーバ２２１へ送信される。配信サーバ２２１では、通信コンテンツ配信部２２１４が、押下されたサムネイルＢ５１に対応した非連動コンテンツを記憶部２２１７から読み出し、テレビリモコン装置４０へ配信する。
【００６４】
この非連動コンテンツは、例えば、図９での興味設定画面Ｄ１３にて設定した興味あるカテゴリ設定に基づいて配信することができる。
テレビリモコン装置４０では、通信コンテンツ制御部４３が、配信サーバ２２１から配信された非連動コンテンツを表示部４４に表示する。
【００６５】
図１４にてサムネイルＢ５１として縮小表示されていたチラシが、図１５に示すように、チラシ表示画面Ｄ３２として拡大表示される。視聴者は、このチラシを見ながら買い物をする店舗や品物を検討することができる。
【００６６】
次に、図１４での非連動コンテンツ選択画面Ｄ３１にて、視聴者が、「お得情報」と表示された買得情報を示すアイコンＢ５２を押下したものとする。
「お得情報」と表示されたアイコンＢ５２が押下されたことがテレビリモコン装置４０から配信サーバ２２１へ送信される。そうすることで、このアイコンＢ５２に応じて配信サーバ２２１から配信された買得情報が、図１６に示す買得表示画面Ｄ３３として表示される。
視聴者は、この買得表示画面Ｄ３３によりクーポンなどを受けたり、買い物に関する割引の情報を得たりすることができる。
【００６７】
更に、図１４での非連動コンテンツ選択画面Ｄ３１にて、視聴者が、「商品紹介」と表示されたアイコンＢ５２を押下したものとする。
「商品紹介」と表示されたアイコンＢ５２を、例えば、図１３に示す商品購入画面Ｄ２４へとリンクさせることで、様々な商品を、非連動コンテンツからも、番組とは連動せず、視聴者の空いた時間に購入することができる。
【００６８】
このように、視聴者が、受け取ったクーポンや購入した商品を確認したいと思ったときには、図７に示す設定メニュー画面Ｄ１１にて、「クーポン受け取り・購入履歴」ボタンＢ２４を押下する。
テレビリモコン装置４０から配信サーバ２２１へ、「クーポン受け取り・購入履歴」ボタンＢ２４の押下が通知されると、配信サーバ２２１では履歴制御部２２１６が記憶部２２１７に蓄積された購入履歴やクーポンの受け取り履歴などの履歴情報を読み出し、テレビリモコン装置４０へ送信する。
【００６９】
テレビリモコン装置４０では、配信サーバ２２１からの履歴画面Ｄ１４が、図１７に示すように表示部４４に表示される。
このように、視聴者は、受け取ったクーポンの履歴や、購入した商品の履歴をテレビリモコン装置４０にて確認することができる。
【００７０】
以上のように本発明の実施の形態に係るテレビリモコン装置４０によれば、図５に示すチャンネルボタン４２１ｂを操作して、テレビ受像機３０のチャンネル番号を選択すると、図４に示す操作部４２１から通信コンテンツ制御部４３へ押下されたチャンネルボタン４２１ｂが通知され、通信コンテンツ制御部４３から配信サーバ２２１へチャンネル番号が通知されることで、押下されたチャンネルボタン４２１ｂに対応するチャンネルの通信コンテンツが配信サーバ２２１から配信されるので、手軽な操作で、放送設備からの放送コンテンツを楽しみつつ、通信設備からの通信コンテンツを楽しみことができる。
【００７１】
また、本発明の実施の形態に係るコンテンツ配信設備２０によれば、放送電波により放送コンテンツをテレビ受像機３０に向けて配信する放送設備２１と、放送コンテンツと関連する情報を含む通信コンテンツであり、ネットワークであるインターネットＷを介して、テレビリモコン装置４０に通信コンテンツに配信する通信設備２２とを備えているため、視聴者は、放送設備２１により配信される放送コンテンツをテレビ受像機３０により視聴しながら、放送コンテンツと関連する情報を通信設備２１から配信される通信コンテンツにより得ることができる。従って、より深く番組やＣＭを視聴することができる。
【００７２】
なお、本実施の形態では、「番組連動」ボタンＢ１１、「チラシ」ボタンＢ１２および「設定」ボタンＢ１３を、表示部４４およびタッチパネル部４５によりソフトキーとしているがハードキーとして別途キースイッチを設けてもよい。また、テレビリモコン装置４０における操作部４２１の各ボタンの配置や種類は一例であり、各メーカーごとに異なっていてもよい。
【産業上の利用可能性】
【００７３】
本発明は、テレビリモコン装置により操作されるテレビ受像機が設置された一般家庭に好適である。
【符号の説明】
【００７４】
１０  コンテンツ配信システム
２０  コンテンツ配信設備
２１  放送設備
２１１  局内設備
２１１１  回線センター
２１１２  ＣＭバンク
２１１３  番組バンク
２１１４  コンテンツ送出装置
２１１４ａ  マスターマトリックス装置
２１１４ｂ  制御装置
２１１４ｃ  情報付加装置
２１１５  データ放送送出装置
２１１６  多重化装置
２１２  放送塔設備
２１２１  送信装置
２２  通信設備
２２１  配信サーバ
２２１１  通信部
２２１２  設定制御部
２２１３  通信コンテンツ登録部
２２１４  通信コンテンツ配信部
２２１５  クーポン発行部
２２１６  履歴制御部
２２１７  記憶部
２２２  第１端末装置
２２３  第２端末装置
３０  テレビ受像機
４０  テレビリモコン装置
４１  通信部
４２  リモコン部
４２１  操作部
４２１ａ  電源ボタン
４２１ｂ  チャンネルボタン
４２１ｃ  切替ボタン
４２１ｄ  ｄボタン
４２１ｅ  ボリュームボタン
４２１ｆ  ４色ボタン
４２１ｇ  十字キー
４２１ｈ  決定キー
４２２  リモコン信号送信部
４３  通信コンテンツ制御部
４４  表示部
４５  タッチパネル部
４６  記憶部
Ｂ１１  「番組連動」ボタン
Ｂ１２  「チラシ」ボタン
Ｂ１３  「設定」ボタン
Ｂ２１  「個人情報設定」ボタン
Ｂ２２  「興味あるカテゴリ設定」ボタン
Ｂ２３  「その他  詳細設定」ボタン
Ｂ２４  「クーポン受け取り・購入履歴」ボタン
Ｂ３１  「視聴者１」ボタン
Ｂ３２  「視聴者２」ボタン
Ｂ３３  「視聴者３」ボタン
Ｂ３４  「視聴者４」ボタン
Ｂ４１  ＳＭＳ選択ボタン
Ｂ４２  電子メール選択ボタン
Ｂ４３  「パパ」ボタン
Ｂ４４  「ママ」ボタン
Ｂ５１  サムネイル
Ｂ５２  アイコン
Ｂ５３  案内用矢印
Ｄ１１  設定メニュー画面
Ｄ１２  個人情報設定画面
Ｄ１３  興味設定画面
Ｄ１４  履歴画面
Ｄ２１  番組連動記事画面
Ｄ２２  記事詳細画面
Ｄ２３  クーポン発行画面
Ｄ２４  商品購入画面
Ｄ３１  非連動コンテンツ選択画面
Ｄ３２  チラシ表示画面
Ｄ３３  買得表示画面
Ｒ１１  カテゴリ選択欄
Ｒ１２  表示枠
ａ〜ｄ  記事
Ａ  放送局
Ｗ  インターネット
【図１】
2018011229.tif 000003
【図２】
2018011229.tif 000004
【図３】
2018011229.tif 000005
【図４】
2018011229.tif 000006
【図５】
2018011229.tif 000007
【図６】
2018011229.tif 000008
【図７】
2018011229.tif 000009
【図８】
2018011229.tif 000010
【図９】
2018011229.tif 000011
【図１０】
2018011229.tif 000012
【図１１】
2018011229.tif 000013
【図１２】
2018011229.tif 000014
【図１３】
2018011229.tif 000015
【図１４】
2018011229.tif 000016
【図１５】
2018011229.tif 000017
【図１６】
2018011229.tif 000018
【図１７】
2018011229.tif 000019